(57)【要約】【課題】装置の使用環境や用紙の種類、または装置の耐久によって、自動紙送り装置の搬送速度が変化するため、読み取り時の倍率が、所定の画像倍率とは必ずしも一致しないが、搬送速度をモニタリングして所定の搬送速度と比較することによって、画像倍率を補正し、読み取り画像を原稿に忠実に再現する。【解決手段】自動原稿送り装置において、・シート搬送速度を測定する搬送速度測定センサを有する。・基準の搬送速度と前記センサにより測定した搬送速度を比較し、画像倍率の補正値を求める。・画像倍率の補正値を、読み取り画像に反映させ、原稿と読取画像の画像倍率を所定の割合にする。【選択図】　　　　図１
2004140620.tif 000002
【特許請求の範囲】
【請求項１】
シートを搬送する手段を備えた画像読取装置において、シートの搬送速度を測定する手段を持ち、前記搬送速度測定手段によって得られたシート搬送速度と、所定の搬送速度を比較することにより、シート上の画像と読取画像間の画像倍率補正値を求め、前記読取画像データの画像倍率に反映させることによって、読取画像の画像倍率の適正化手段を有することを特徴とした画像読取装置。
【請求項２】
シート上の画像と前記画像の読取画像の画像倍率補正値を、搬送速度測定手段によって得られた搬送速度のシート搬送手段で設定されている搬送速度への割合とすることを特徴とする請求項１記載の画像読取装置。
【請求項３】
前記画像倍率の適正化手段において、読取画像を基準画像として記憶媒体に一時保存し、所定の読み取り時の搬送速度より得られた画像倍率補正値を用いて、前記基準画像を補正することで、これを真の読取画像とすることを特徴とする請求項１又は２の画像読み取り装置。
【請求項４】
前記画像倍率の適正化手段として、基準の画像倍率を所定の読み取り時に得られた画像倍率補正値により補正し、前記所定読み取り時以降の画像読取装置の搬送方向に対する画像読み込み速度を変更することを特徴とする請求項１又は２記載の画像読取装置。
【請求項５】
前記搬送速度測定及び画像倍率適正化は画像読取装置本体が所定回数ごとに自ら行うことを特徴とする請求項１乃至４のいずれか１項に記載の画像読取装置。
【請求項６】
前記搬送速度測定手段は、シートの上下のどちらか一方に略直角方向に置かれた光電変換手段であることを特徴とする請求項１乃至５のいずれか１項に記載の画像読取装置。
【請求項７】
前記搬送速度測定手段は、シート搬送手段の駆動源として用いられるモータもしくは、それに接続される回転体に接続され、前記モータもしくは回転体の回転軸と略平行な方向に向けて放たれる光を遮断する遮光部を備えた回転部材と、回転部材の回転速度に応じた間隔で透光される光を受光する受光部を有することを特徴とする請求項１乃至５のいずれか１項に記載の画像読取装置。
【発明の詳細な説明】
【０００１】
【発明の属する技術分野】
本発明は、イメージスキャナなどの画像読取装置、ＭＦＰ及び複写機・ファクシミリなどの画像読取装置及び画像形成装置を同時に備えた装置に関するものである。
【０００２】
【従来の技術】
従来より、画像読取装置に採用されているシート上の画像を読み取るための方式として以下の二つの方式が良く知られている。
【０００３】
第１の方式は画像読取装置の原稿台にシートを所定の方法でセットし、原稿台ガラス上に固定された原稿を移動可能な光学キャリッジによって読み取ることで、シート上の画像を画像読取部にて読み取る原稿固定読取方式である。
【０００４】
第２の方式は、シートを所定の搬送速度で搬送させて、固定の光学キャリッジ部を配置した所定の読取部にてシート上の画像を読み取るシート流し読み取り方式である。
【０００５】
後者のシート流し読み取り方式は、前者のシート固定読取方式と比較して、光学キャリッジを固定でき、毎回光学キャリッジを往復移動する必要がない。また、このため、装置構成が複雑とならず、また処理の高速化といった点で前者のシート固定読取方式に比べ優位性がある。さらに、シートがその表裏に画像を含む場合、それら両面の画像を読み取るにあたって操作の便宜や高速化を図るという観点から、シートの搬送方向に沿って、二機の光学キャリッジを設け、各光学キャリッジによってシートのそれぞれの面に含まれる画像を読み取るように構成された読取装置もある。このような装置構成によれば、所定の経路に沿って搬送されるシートの表裏に含まれる画像をほぼ同時に流し読みができるようになるため、シート上の画像の両面複写における読取処理の高速化を図ることができる。
【０００６】
【発明が解決しようとする課題】
しかしながら、従来のシート流し読取方式においては以下の問題点があった。
【０００７】
シート流し読み取り時の、実際の搬送速度がその設定値と異なってしまい、画像倍率がシート上の画像と読み取った画像で所定の割合とならない。
【０００８】
また、装置の使用環境や装置の耐久により、シートの搬送速度が変化してしまうために、シート上の画像の画像倍率と読み取った画像の画像倍率が所定の割合を維持できない。
【０００９】
シート搬送手段において、安定した搬送・搬送速度を設計値に近づけた搬送を行うためには、多くの部品と高精度な部品・組み立てが必要となり、装置の高コスト化を招いてしまう。
【００１０】
また、装置の品質や精度を維持するためには、ユーザーやサービスマンによる基準画像を用いたメンテナンス等が必要となってしまう。
【００１１】
【課題を解決するための手段】
上記課題を解決するために本発明においては、シートを搬送する手段を備えた画像読取装置において、シートの搬送速度を測定する手段を持ち、前記搬送速度測定手段によって得られたシート搬送速度と、所定の搬送速度を比較することにより、原稿と読取画像間の画像倍率補正値を求め、前記読取画像データの画像倍率に反映させることによって、読取画像の画像倍率の適正化手段を有することを特徴とする。
【００１２】
前記画像倍率補正値は、搬送速度測定手段によって得られた搬送速度のシート搬送手段で設定されている搬送速度への割合であると良い。
【００１３】
前記画像倍率の適正化は、読取画像を基準画像として記憶媒体に一時保存し、所定の読み取り時の搬送速度より得られた画像倍率補正値を用いて、前記基準画像を補正することで、これを真の読取画像とすることによってなされると良い。
【００１４】
また、前記画像倍率の適正化は、基準の画像倍率を所定の読み取り時に得られた画像倍率補正値により補正し、前記所定読み取り時以降の画像読取装置の搬送方向に対する画像読み込み速度を変更することによってなされても良い。
前記シート搬送速度測定及び画像倍率適正化は画像読取装置本体が所定回数ごとに自ら行うと良い。
前記シート搬送速度測定手段は、シートの上下のどちらか一方に略直角方向に置かれたＣＣＤセンサなどの光電変換手段であると良い。
【００１５】
また、前記シート搬送速度測定手段は、シート搬送手段の駆動源として用いられるモータもしくは、それに接続される回転体に接続され、前記モータもしくは回転体の回転軸と略平行な方向に向けて放たれる光を遮断する遮光部を備えた回転部材と、回転部材の回転速度に応じた間隔で透光される光を受光する受光部を有するものであっても良い。
【００１６】
【発明の実施の形態】
（第１の実施例）
図１は、本実施例におけるシート搬送手段を備えた画像読取装置１の概略構成図である。Ｓは画像の印刷されたシートであり、１１はシート搬送手段である搬送方向の上流側にある搬送ローラ対２１、下流側にある搬送ローラ対２２を駆動させるモータである。また、３１は非接触の搬送速度測定センサであり、４１は画像読取位置である。
【００１７】
上記構成において、本発明における実施例について以下に説明する。まず操作者はシートＳの画像Ｐ０を画像読取装置１で読み取るために、流し読みプロセスをスタートさせる。シートＳは搬送ローラ対２１の方から搬送され、搬送速度測定センサ３１によって搬送速度Ｖ１を測られ、また画像読取位置４１でシートの画像を読み取る。このとき読み取った画像はメモリ５１（図示せず）に一時保存される。シートＳはその後ローラ対２２によってそのまま排紙積載トレイ（図示せず）に排出される。
【００１８】
次に、このとき行われる画像倍率の適正化手段について図２のブロック図を用いて説明する。
【００１９】
画像読取装置１では、シートＳの画像Ｐ０が、メモリ５２に保存されている基準画像倍率Ｍ０で読み込まれ、読み取った画像はデジタルデータＤ０としてメモリ５１に保管される（Ｂ１１）。また、搬送速度測定センサ３１によって測定（Ｂ１２）されたシートＳの搬送速度Ｖ１はＣＰＵ６１に送られ、また、メモリ５２に保存されていたシートＳ基準搬送速度Ｖ０（Ｂ１３）もＣＰＵ６１に送られ、搬送速度測定センサによって求めた搬送速度Ｖ１を基準搬送速度Ｖ０で割算することで搬送方向に対する画像倍率補正値Ｈを算出する（Ｂ１４）。
【００２０】
さらに、ＣＰＵ６１では、基準画像倍率Ｍ０（Ｂ１５）にＢ１４で求めた画像倍率補正値Ｈを乗算することにより画像倍率Ｍ１を算出する（Ｂ１６）。そして、この画像倍率Ｍ１によりメモリ５１に保存されているデジタルデータＤ０（Ｂ１７）をデジタルデータＤ１に補正し（Ｂ１８）、このデジタルデータＤ１を読み取り画像Ｐ１とすることで（Ｂ１９）、シート上の画像Ｐ０の画像倍率と読み取り画像Ｐ１の画像倍率が所定の割合となる。
【００２１】
このように、本実施例の画像倍率適正化によって、数々の条件により画像読み取り装置の画像倍率が変化してしまうことで、原稿と読み取り画像の画像倍率が所定の割合とならないことを防ぎ、シート上の画像の画像倍率に対して所定の割合の画像倍率をもつ読取画像を得ることができる。
【００２２】
また、本実施例において、基本構成の搬送速度測定手段としては、非接触のセンサが挙げられているが、ＣＩＳセンサなどの接触型センサであっても良い。また、図１では搬送方向上流側から見て搬送速度測定センサ・画像読取位置の順で配置されているがこの順番は逆になっていても良いし、ほぼ同位置にあっても良い。また、搬送速度測定センサ・読取位置共に搬送ローラ間に存在しているが、これらは上流側搬送ローラの前にあっても良いし、下流側搬送ローラの間にあっても良い。
【００２３】
また、基本構成では上流側搬送ローラ対と下流側搬送ローラ対によって搬送を行い、下流側搬送ローラがシートを排紙積載トレイに排出する役割を担っているが、搬送ローラ対が一つしか存在せず、それが搬送・排出の役割を果たしていても良い。また、画像読み取り部は搬送路下面に存在しているが、これは上面に存在していても良いし、両面に存在していても良い。また、本実施例ではシート搬送速度により画像倍率補正値を算出し、画像倍率を適正化したが、前記画像補正倍率補正値をローラやモータの回転数により算出し、画像倍率を適正化しても良い。
【００２４】
（第２の実施例）
第２の実施例は、上記第１の実施例とほぼ同一の基本構成及び機能を備えた画像読取装置に関し、画像倍率適正化手段において異なる点を有するものである。そこで、その基本構成及び基本動作について、ここでの重複する説明は省略する。
【００２５】
図３は本実施例における画像倍率適正化手段のブロック図である。以下、画像倍率適正化手段についてブロック図に沿って説明する。
【００２６】
画像倍率Ｍ１で画像を読み取る画像読取装置１（Ｂ２１）は、所定読み取り回数経過時に搬送速度の測定を行い（Ｂ２２）、測定された搬送速度Ｖ１は、メモリ５２に保存されている基準搬送速度Ｖ０（Ｂ２３）とＣＰＵ６１で比較演算され、実施例１と同様に画像倍率補正値Ｈを算出する（Ｂ２４）。
【００２７】
さらに、ＣＰＵ６１ではメモリ５２に保存されている基準画像倍率Ｍ０（Ｂ２５）にＢ２４で求めた画像倍率補正値Ｈを乗算することにより新規画像倍率Ｍ２を算出する（Ｂ２６）。Ｂ２６で算出された新規画像倍率Ｍ２は、以前の画像倍率Ｍ１に上書きされ（Ｂ２７）、所定された読み取り時の画像倍率適正化以後は、上記画像倍率Ｍ２が読み取り時の画像倍率として適用され、画像読取スピードが適正なスピードに変更される（Ｂ２８）。よって、画像倍率適正化以後、シート上の画像Ｐ０の画像倍率と読み取り画像Ｐ１の画像倍率が所定の割合となる。
【００２８】
このように、本実施例の画像倍率適正化手段によって、画像倍率適正化以後、第１の実施例と同じ効果をあげることができ、なおかつ、読み取り画像自体を補正しなおさなくともよいので、画像読み取りの処理速度をあげることができる。
【００２９】
また、本実施例においては、基本構成の搬送速度測定手段としては、非接触のセンサが挙げられているが、ＣＩＳセンサなどの接触型センサであっても良い。また、図１では搬送方向上流側から見て搬送速度測定センサ・画像読取位置の順で配置されているがこの順番は逆になっていても良いし、ほぼ同位置にあっても良い。また、搬送速度測定センサ・読取位置共に搬送ローラ間に存在しているが、これらは上流側搬送ローラの前にあっても良いし、下流側搬送ローラの間にあっても良い。
【００３０】
また、基本構成では上流側搬送ローラ対と下流側搬送ローラ対によって搬送を行い、下流側搬送ローラがシートを排紙積載トレイに排出する役割を担っているが、搬送ローラ対が一つしか存在せず、それが搬送・排出の役割を果たしていても良い。また、画像読み取り部は搬送路下面に存在しているが、これは上面に存在していても良いし、両面に存在していても良い。また、本実施例ではシート搬送速度により画像倍率補正値を算出し、画像倍率を適正化したが、前記画像補正倍率補正値をローラやモータの回転数により算出し、画像倍率を適正化しても良い。また、本実施例の画像倍率適正化は、所定読み取り回数毎に行われるが、この適正化手段は装置の操作者の命令によって行われてもよいし、画像読み取り装置本体によって自ら行われても良い。
【００３１】
（第３の実施例）
図４は、本実施例におけるシート搬送手段を備えた画像読取装置１の概略構成図を示したものである。第１の実施例では異なる搬送ローラも同一駆動源によって駆動していたが、本実施例においては、シート搬送手段として存在する搬送ローラの駆動源としてのモータが複数個存在し、各搬送ローラが異なるモータで駆動する構成になっている。その他の基本的構成については第１の実施例と同一であるので、同一の構成部分については同一の符号を付して説明を省略する。
【００３２】
また、本実施例においては、シートを搬送するローラの種類や個数によって、読み込み時の画像倍率が異なるものとし、上流側搬送ローラのみで搬送されている時の画像倍率をＭａ、上流側・下流側搬送ローラ両方で搬送されている時の画像倍率をＭｂ、下流側搬送ローラのみで搬送されている時の画像倍率をＭｃとする。
【００３３】
上記構成において、本発明における実施例について以下に説明する。まず操作者はシートＳの画像を画像読取装置１で読み取るために、流し読みプロセスをスタートさせる。シートＳは搬送ローラ対２１の方から搬送され、まず、第１の搬送速度Ｖ１が搬送速度測定センサ３１によって、シートＳの先端が上流側搬送ローラ２１を通過してから下流側搬送ローラ２２に到達する前に測定される。次に第２の搬送速度Ｖ２が、シートＳの後端が上流側搬送ローラ２１を通過する前に、第３の搬送速度Ｖ３がシートの後端が下流側搬送ローラ２２を通過する前に、搬送速度測定センサ３１によって測定される。
【００３４】
また、画像読み取り装置１は画像読み取り部４１において、シート上の画像Ｐ０を読み取る。このとき読み取った画像は上流側搬送ローラ対２１のみ搬送された時、上流側搬送ローラ対２１・下流側搬送ローラ対２２両方で搬送された時、下流側搬送ローラ対２２のみで搬送された時に場合分けされて、デジタルデータＤａ、Ｄｂ、Ｄｃとしてメモリ５１（図示せず）に一時保存される。シートＳはその後ローラ対２２によってそのまま排紙積載トレイ（図示せず）に排出される。
【００３５】
次に画像読み取りの際に行われる、画像倍率適正化について、図５のブロック図を用いて説明する。
【００３６】
画像読み取り装置１では、上流側搬送ローラのみでシートＳが搬送されている時の画像Ｐａが読み込まれ、デジタルデータＤａとしてメモリ５１に保管される（Ｂ３１）。また、搬送速度測定センサ３１によって測定（Ｂ３２）された上流側搬送ローラ対のみで搬送されている時の搬送速度ＶＡがＣＰＵ６１に送られ、また、メモリ５２に保存されている上流側搬送ローラ対のみで搬送されている時の基準搬送速度ＶａもＣＰＵ６１に送られ（Ｂ３３）、搬送速度ＶＡを基準搬送速度Ｖａで割算することで、搬送方向に対する画像倍率補正値ＨＡを算出する（Ｂ３４）。
【００３７】
さらに、ＣＰＵ６１ではメモリ５２に保存されている上流側搬送ローラ対のみで搬送される時の基準画像倍率Ｍａ（Ｂ３５）にＢ３４で求めた画像倍率補正値ＨＡを乗算することにより画像倍率ＭＡを算出する（Ｂ３６）。そして、前記画像倍率ＭＡによりメモリ５１に保管されているデジタルデータＤａ（Ｂ３７）をデジタルデータＤＡに補正する（Ｂ３８）。
【００３８】
また同様に、上流側搬送ローラ対２１・下流側搬送ローラ対２２両方で搬送された場合、下流側搬送ローラ対２２のみで搬送された場合についても同様な適正化を行い（Ｂ４１〜Ｂ４８、Ｂ５１〜Ｂ５８）、デジタルデータＤＢ、ＤＢを得て、最後にこれら３つのデータをひとつに統合し、読み取り画像Ｐ１とする（Ｂ６０）ことで、シート上の画像Ｐ０の画像倍率と読み取り画像Ｐ１各部分の画像倍率が所定の割合となる。
【００３９】
このように、本実施例の画像倍率適正化手段によって、画像倍率が複数存在する場合においても実施例１のような効果を得ることができる。
【００４０】
また、本実施例において、基本構成の搬送速度測定手段としては、非接触のセンサが挙げられているが、ＣＩＳセンサなどの接触型センサであっても良い。また、図３では搬送方向上流側から見て搬送速度測定センサ・画像読取位置の順で配置されているがこの順番は逆になっていても良いし、ほぼ同位置にあっても良い。また、画像読み取り部は搬送路下面に存在しているが、これは上面に存在していても良いし、両面に存在していても良い。また、本実施例ではシート搬送速度により画像倍率補正値を算出し、画像倍率を適正化したが、前記画像補正倍率補正値をローラやモータの回転数により算出し、画像倍率を適正化しても良い。
【００４１】
（第４の実施例）
本実施例は、上記第３の実施例とほぼ同一の基本構成及び機能を備えた画像読取装置に関し、画像倍率適正化手段において異なる点を有するものである。そこで、その基本構成及び基本動作について、ここでの重複する説明は省略する。
【００４２】
図６は本実施例における画像倍率適正化手段のブロック図である。また、本実施例において、画像倍率適正化は所定読み取り回数経過後に行われるものとする。以下、画像倍率適正化手段についてブロック図に沿って説明する。
【００４３】
上流側搬送ローラのみ・上流側・下流側搬送ローラ両方・下流側搬送ローラのみで搬送を行うという、３つの搬送状態を持ち、それぞれの搬送状態の時、画像倍率ＭＡ、ＭＢ、ＭＣで画像を読み取る画像読取装置１（Ｂ７１、Ｂ８１、Ｂ９１）は、シートＳが上流側搬送ローラ対２１のみで搬送されている時の搬送速度Ｖａ、上流側搬送ローラ対２１・下流側搬送ローラ対２２両方で搬送されている時の搬送速度Ｖｂ、下流側搬送ローラ対２２のみで搬送されている時の搬送速度ＶＢをそれぞれ測定し（Ｂ７２、Ｂ８２、Ｂ９２）、測定された搬送速度Ｖａ、Ｖｂ、Ｖｃは、メモリ５２に保存されている上記３つの搬送状態の基準搬送速度ＶＡ、ＶＢ、ＶＣ（Ｂ７３、Ｂ８３、Ｂ９３）とＣＰＵ６１で比較・演算され、それぞれについて、画像倍率補正値ＨＡ、ＨＢ、ＨＣが算出される（Ｂ７４、Ｂ８４、Ｂ９４）。
【００４４】
さらに、ＣＰＵ６１ではメモリ５２に保存されている上記３つの搬送状態の基準画像倍率Ｍａ、Ｍｂ、Ｍｃ（Ｂ７５、Ｂ８５、Ｂ９５）にＢ７４、Ｂ８４、Ｂ９４で求めた画像倍率補正値ＨＡ、ＨＢ、ＨＣをそれぞれ乗算することにより新規の画像倍率ＭＡ’、ＭＢ’、ＭＣ’を算出する（Ｂ７６、Ｂ８６、Ｂ９６）。Ｂ７６、Ｂ８６、Ｂ９６で算出された新規画像倍率ＭＡ’、ＭＢ’、ＭＣ’は以前の画像違倍率ＭＡ、ＭＢ、ＭＣに上書きされ（Ｂ７７、Ｂ８７、Ｂ９７）、所定された読み取り時の画像倍率適正化以後は、前記画像倍率ＭＡ’、ＭＢ’、ＭＣ’が読み取り時の画像倍率として適用され、画像読取スピードが適正なスピードに変更される（Ｂ１００）。よって、シート上の画像Ｐ０の画像倍率と読取画像Ｐ１各部分の画像倍率が所定の割合となる。
【００４５】
このように、本実施例の画像倍率適正化手段によって、複数の画像倍率を持つものに関しても、画像倍率適正化以後、第１の実施例と同じ効果をあげることができる。また、第３の実施例と比べて、読み取り画像自体を補正しなおさなくともよいので、画像読み取りの処理速度をあげることができる。
【００４６】
また、本実施例においては、搬送速度測定センサ・ＣＰＵ・メモリは、搬送が上流側搬送ローラ対のみ、上流側搬送ローラ対・下流側搬送ローラ対、下流側搬送ローラ対のみと、搬送状態が変化しても、同一のものを用いているが、それぞれ複数のものを用いても良い。また、本実施例において、基本構成の搬送速度測定手段としては、非接触のセンサが挙げられているが、ＣＩＳセンサなどの接触型センサであっても良い。
【００４７】
また、図３では搬送方向上流側から見て搬送速度測定センサ・画像読取位置の順で配置されているがこの順番は逆になっていても良いし、ほぼ同位置にあっても良い。また、画像読み取り部は搬送路下面に存在しているが、これは上面に存在していても良いし、両面に存在していても良い。また、本実施例ではシート搬送速度により画像倍率補正値を算出し、画像倍率を適正化したが、前記画像補正倍率補正値をローラやモータの回転数により算出し、画像倍率を適正化しても良い。
【００４８】
【発明の効果】
以上説明したように、本発明によれば、
シート流し読みとり時の実際の搬送速度がその設定値と異なってしまい、画像倍率がシート上の画像と読み取り画像で所定の割合となっていないことにより、所望の読み取り画像が得られない時にでも、本発明を用いて、所望の読み取り画像を得ることができる。
【００４９】
また、装置の使用環境や装置の耐久により、シートの搬送速度が変化してしまうために、シート上の画像の画像倍率と読取画像の画像倍率が所定の割合を維持できなくなったときにも、本発明により、画像倍率を適正化することにより、所望の読み取り画像を得ることができる。
【００５０】
シート搬送手段において、安定した搬送・搬送速度を設計値に近づけた搬送を行うためには多くの部品と高精度な部品・組み立てが必要となり、装置の高コスト化を招いてしまうが、本発明では数個のセンサとメモリ、ＣＰＵがあれば、他の部品や高精度な組み立てを必要としなくても、画像倍率を設計値に近づけることができ、所望の読み取り画像を得ることができる。
【００５１】
また本発明は、画像読み取り時の搬送速度の測定により、画像倍率を適正化するために、装置の品質や精度を維持するための、ユーザーやサービスマンによる基準画像を用いたメンテナンス等を必要としなくとも、所望の画像を得ることができる。
【図面の簡単な説明】
【図１】第１・第２の実施例における画像読取装置の概略構成図。
【図２】第１の実施例における、画像倍率適正化のブロック図。
【図３】第２の実施例における、画像倍率適正化のブロック図。
【図４】第３の実施例における画像読取装置の概略構成図。
【図５】第３の実施例における、画像倍率適正化のブロック図。
【図６】第４の実施例における、画像倍率適正化のブロック図。
【符号の説明】
１　　画像読み取り装置
１１　モータ
２１　搬送ローラ対
３１　ＣＣＤセンサ搬送速度測定センサ
４１　画像読み取り部
５１　メモリ
６１　ＣＰＵ
Ｄ　　読み取り画像データ
Ｈ　　画像倍率補正値
Ｐ　　画像
Ｍ　　画像倍率
Ｓ　　シート
【図１】
2004140620.tif 000003
【図２】
2004140620.tif 000004
【図３】
2004140620.tif 000005
【図４】
2004140620.tif 000006
【図５】
2004140620.tif 000007
【図６】
2004140620.tif 000008